【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
電波を受信するアンテナと、アンテナで受信した電波を整流することで自励発電する発電回路と、情報を記憶する記憶装置と、前記発電回路から電源を供給され、情報を無線出力する無線出力回路とを備えた模造品防止用タグと、
前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された情報を比較する比較回路と、前記比較回路からの比較結果を表示する表示部とを備えた模造品防止識別装置とを組み合わせたことを特徴とする模造品防止システム。
【請求項２】
電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較回路と、前記比較器の比較結果に応じて、発光する発光ダイオードとを備えた模造品防止用タグと、
前記模造品防止用タグに対して、電波を供給する電波供給回路と、前記模造品防止用タグに対して、情報を送信する送信回路とを備えた模造品防止識別装置とを組み合わせたことを特徴とする模造品防止システム。
【請求項３】
電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、前記記憶装置に記憶された情報を無線出力する送信回路とを備えた模造品防止用タグと、
前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路の結果に応じて、前記記憶装置に記憶されたデータを無線出力する送信回路と、前記比較回路からの比較結果を表示する表示部とを備えた模造品防止識別装置とを組み合わせたことを特徴とする模造品防止システム。
【請求項４】
前記比較器の比較結果に応じて、前記受信情報を演算する演算回路とを備えたことを特徴とする請求項２又は、請求項３の模造品防止システム。
【請求項５】
前記比較器の比較結果に応じて、発光する発光ダイオードとを備えたことを特徴とする請求項３又は、請求項４の模造品防止システム。
【請求項６】
前記比較回路の比較結果に応じて、前記受信情報を演算する演算回路とを備えたことを特徴とする請求項１又は、請求項３の模造品防止システム。
【請求項７】
前記比較器の比較結果に応じて、放音する放音装置を備えたことを特徴とする請求項１又は、請求項３の模造品防止システム。
【請求項８】
電波を受信するアンテナと、アンテナで受信した電波を整流することで自励発電する発電回路と、情報を記憶する記憶装置と、前記発電回路から電源を供給され、情報を無線出力する無線出力回路とを備えたことを特徴とする模造品防止用タグ。
【請求項９】
電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、発光する発光ダイオードとを備えたことを特徴とする模造品防止用タグ。
【請求項１０】
電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、前記記憶装置に記憶された情報を無線出力する送信回路とを備えたことを特徴とする模造品防止用タグ。
【請求項１１】
前記比較器の比較結果に応じて前記受信情報を演算する演算回路とを備えたことを特徴とする請求項９又は、請求項１０の模造品防止用タグ。
【請求項１２】
前記比較器の比較結果に応じて発光する発光ダイオードとを備えたことを特徴とする請求項１０又は、請求項１１の模造品防止用タグ。
【請求項１３】
電波を受け取って電源発生し、情報を無線送信する模造品防止用タグからの情報を受信する模造品防止識別装置であって、
前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路からの比較結果を表示する表示部とを備えたことを特徴とする模造品防止識別装置。
【請求項１４】
電波を受け取って電源発生し、情報を無線受信する模造品防止用タグからの情報を送信する模造品防止識別装置であって、
前記模造品防止用タグに対して、電波を供給する電波供給回路と、前記模造品防止用タグに対して、情報を送信する送信回路とを備えたことを特徴とする模造品防止識別装置。
【請求項１５】
電波を受け取って電源発生し、情報を無線送信する模造品防止用タグからの情報を受信する模造品防止識別装置であって、
前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路の結果に応じて、前記記憶装置に記憶されたデータを無線出力する送信回路と、前記比較回路からの比較結果を表示する表示部とを備えたことを特徴とする模造品防止識別装置。
【請求項１６】
前記比較回路の比較結果に応じて、前記受信情報を演算する演算回路とを備えたことを特徴とする請求項１３又は、請求項１５の模造品防止識別装置。
【請求項１７】
前記比較回路の比較結果に応じて、放音する放音装置を備えたことを特徴とする請求項１３又は、請求項１５の模造品防止識別装置。
【手続補正２】
【補正対象書類名】明細書
【補正対象項目名】０００４
【補正方法】変更
【補正の内容】
【０００４】
本発明は、上記問題に鑑みて成されたものであり、電波を受信するアンテナと、アンテナで受信した電波を整流することで自励発電する発電回路と、情報を記憶する記憶装置と、前記発電回路から電源を供給され、情報を無線出力する無線出力回路とを備えた模造品防止用タグと、前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された情報を比較する比較回路と、前記比較回路からの比較結果を表示する表示部とを備えた模造品防止識別装置とを組み合わせたことを特徴とする。
また、電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較回路と、前記比較器の比較結果に応じて、発光する発光ダイオードとを備えた模造品防止用タグと、前記模造品防止用タグに対して、電波を供給する電波供給回路と、前記模造品防止用タグに対して、情報を送信する送信回路とを備えた模造品防止識別装置とを組み合わせたことを特徴とする。
また、電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、前記記憶装置に記憶された情報を無線出力する送信回路とを備えた模造品防止用タグと、前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路の結果に応じて、前記記憶装置に記憶されたデータを無線出力する送信回路と、前記比較回路からの比較結果を表示する表示部とを備えた模造品防止識別装置とを組み合わせたことを特徴とする。
【手続補正３】
【補正対象書類名】明細書
【補正対象項目名】０００５
【補正方法】変更
【補正の内容】
【０００５】
また、本発明は、電波を受信するアンテナと、アンテナで受信した電波を整流することで自励発電する発電回路と、情報を記憶する記憶装置と、前記発電回路から電源を供給され、情報を無線出力する無線出力回路とを備えたことを特徴とする。
また、電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、発光する発光ダイオードとを備えたことを特徴とする。
また、電波を受信するアンテナと、アンテナで受信した電波を整流することで自励発電する発電回路と、情報を記憶する記憶装置と、前記発電回路から電源を供給され、前記電波を受信する受信回路と、前記記憶装置に記憶された情報と前記受信回路に受信された受信情報を比較する比較器と、前記比較器の比較結果に応じて、前記記憶装置に記憶された情報を無線出力する送信回路とを備えたことを特徴とする。
また、前記比較器の比較結果に応じて、前記受信情報を演算する演算回路とを備えたことを特徴とする。
【手続補正４】
【補正対象書類名】明細書
【補正対象項目名】０００６
【補正方法】変更
【補正の内容】
【０００６】
また、本発明は、電波を受け取って電源発生し、情報を無線送信する模造品防止用タグからの情報を受信する模造品防止識別装置であって、前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路からの比較結果を表示する表示部とを備えたことを特徴とする。
また、電波を受け取って電源発生し、情報を無線受信する模造品防止用タグからの情報を送信する模造品防止識別装置であって、前記模造品防止用タグに対して、電波を供給する電波供給回路と、前記模造品防止用タグに対して、情報を送信する送信回路とを備えたことを特徴とする。
また、電波を受け取って電源発生し、情報を無線送信する模造品防止用タグからの情報を受信する模造品防止識別装置であって、前記模造品防止用タグに対して、電波を供給する電波供給回路と、前記模造品防止用タグからの無線出力を受信する受信回路と、データを記憶する記憶装置と、前記記憶装置に記憶されたデータと受信回路に受信された受信情報を比較する比較回路と、前記比較回路の結果に応じて、前記記憶装置に記憶されたデータを無線出力する送信回路と、前記比較回路からの比較結果を表示する表示部とを備えたことを特徴とする。
また、前記比較器の比較結果に応じて、前記受信情報を演算する演算回路とを備えたことを特徴とする。
また、前記比較器の比較結果に応じて、放音する放音装置を備えたことを特徴とする。